(57)【特許請求の範囲】
【請求項１】
枕を載せて使用する枕置き具であって、
左右に伸びるように設けられ、土台となる第１の帯状シートと、前記第１の帯状シートの上面における左脇及び右脇の少なくとも一方に設けられ、前記第１の帯状シートの上に引出し可能に第２の帯状シートを収納しておく収納部と、を有している本体と、
前記第１の帯状シートの上に重ねられ、前記枕の高さを調整する複数枚の前記第２の帯状シートと、を備え、
前記第１の帯状シート、又は前記第１の帯状シートの上に重ねられた前記第２の帯状シートに前記枕を載せて使用するものであり、更に、
１枚の前記第２の帯状シートを引出し可能に格納しておくケースを複数備え、
前記収納部は、前記第２の帯状シートを格納している複数の前記ケースを収納することを特徴とする
枕置き具。
【請求項２】
前記ケースは、前記第１の帯状シートに対して着脱可能であることを特徴とする
請求項１に記載の枕置き具。
【請求項３】
複数枚の前記第２の帯状シートの厚さは、２種類以上であることを特徴とする
請求項１又は２に記載の枕置き具。
【請求項４】
前記収納部は、前記第１の帯状シートに対して着脱可能であることを特徴とする
請求項１〜３のいずれかに記載の枕置き具。
【発明の詳細な説明】
【技術分野】
【０００１】
本発明は、就寝時などに枕を置いておくための枕置き具に関する。
【背景技術】
【０００２】
特許文献１及び２には、使用者の好みに合わせて枕の高さを調整することができる枕置き具が開示されている。
【０００３】
特許文献１に開示されている枕置き具は、台座と、帯材と、一対の調整材と、を備えている。台座は、左右一対の支持材を備え、左右一対の支持材は、帯材の端部が挿通される挿通孔部を有している。帯材は、長手方向の端部における長手方向に並んだ複数の箇所に、幅方向に延びている貫通孔部を備えている。調整材は、任意の貫通孔部に差し込まれて、支持材における挿通孔部の外側に引っ掛かる。
【０００４】
この枕置き具において、帯材に載せた枕置き具の高さの調整は、帯材の端部にある貫通孔部に対して調整材を抜差しすることで行われる。このような枕置き具によれば、貫通孔部が複数の箇所にあるので、帯材に載せた枕の高さを幾通りにも変えることができる。
【０００５】
特許文献２に開示されている枕置き具は、台座と、載置材と、一対の昇降機構と、を備えている。台座は、左右一対の支持材を備え、左右一対の支持材は、それぞれ、前後一対の支柱を有している。一対の昇降機構は、それぞれ、前後一対の支柱に架け渡されている送りネジと、送りネジに取り付けられ、送りネジの回転に伴って互いに近付き又は遠退くように移動する前後一対のスライダーと、一端が前後一対のスライダーに回転可能に取り付けられていると共に、他端が載置材に回転可能に取り付けられている前後一対のアームと、を有している。
【０００６】
この枕置き具において、載置材に載せた枕置き具の高さの調整は、送りネジを回転させることで行われる。このような枕置き具によれば、送りネジの回転量に応じて枕の高さを無段階で調整することができる。
【先行技術文献】
【特許文献】
【０００７】
【特許文献１】特許第６１３７５８５号公報
【特許文献２】特許第６２５７０５９号公報
【発明の概要】
【発明が解決しようとする課題】
【０００８】
しかしながら、特許文献１及び２に記載の枕置き具は、それぞれ、台座となる左右一対の支持材を備えており、それなりの重量を有している。また、これらの枕置き具は、安定性を持たせるため、どうしても硬い材料で構成する必要がある。このため、布団やベッドの上に置いて使用するには、適していなかった。
【０００９】
本発明は、上記課題を鑑みてなされたものであり、布団やベッドの上に置いて使用することができる枕置き具を提供することを目的とする。
【課題を解決するための手段】
【００１０】
（１）本発明は、枕を載せて使用する枕置き具であって、左右に伸びるように設けられ、土台となる第１の帯状シートと、前記第１の帯状シートの上面における左脇及び右脇の少なくとも一方に設けられ、前記第１の帯状シートの上に引出し可能に第２の帯状シートを収納しておく収納部と、を有している本体と、前記第１の帯状シートの上に重ねられ、前記枕の高さを調整する複数枚の前記第２の帯状シートと、を備え、前記第１の帯状シート、又は前記第１の帯状シートの上に重ねられた前記第２の帯状シートに前記枕を載せて使用するものであり、更に、１枚の前記第２の帯状シートを引出し可能に格納しておくケースを複数備え、前記収納部は、前記第２の帯状シートを格納している複数の前記ケースを収納することを特徴とする枕置き具である。
【００１１】
本発明によれば、今お使いの枕の下に帯状シートを敷くだけで枕の高さを調整することができる。帯状シートをクッション性のあるスポンジと布で作ることで、人にやさしい材料を使用しているといえる。また、布団やベッドの上に置いて使用することができる。さらに、収納部が左脇及び右脇の少なくとも一方に設けられているので、枕の位置が移動してしまうことを防止できる。
【００１３】
本発明によれば、第２の帯状シートを格納しているケースがカートリッジとして機能するので、第２の帯状シートを収納部に収納しておく作業が容易である。また、第２の帯状シートが１枚ずつケースに格納されているので、収納部から第２の帯状シートを容易に１枚ずつ引き出すことができる。
【００１４】
（２）本発明はまた、前記ケースは、前記第１の帯状シートに対して着脱可能であることを特徴とする上記（１）に記載の枕置き具である。
【００１５】
本発明によれば、カートリッジとして機能するケースを多く準備しておくことができ、そのケースを収納部の近くに配置しておくことができる。
【００１６】
（３）本発明はまた、複数枚の前記第２の帯状シートの厚さは、２種類以上であることを特徴とする上記（１）又は（２）に記載の枕置き具である。
【００１７】
本発明によれば、今お使いの枕の下に厚さの異なる帯状シートを何枚か重ね敷くだけで枕の高さを微調整することができる。
【００１８】
（４）本発明はまた、前記収納部は、前記第１の帯状シートに対して着脱可能であることを特徴とする上記（１）〜（３）のいずれかに記載の枕置き具である。
【００１９】
本発明によれば、状況に応じて第１の帯状シートから収納部を外して使用することができる。
【発明の効果】
【００２０】
本発明の枕置き具は、布団やベッドの上に置いて使用することができる。
【図面の簡単な説明】
【００２１】
【図１】参考形態に係る枕置き具の正面図である。
【図２】図１に示す枕置き具の上面図である。
【図３】図１に示す矢印III−III方向に視た本体の断面図である。
【図４】図１に示す枕置き具の要部を拡大した正面図である。
【図５】図１に示す枕置き具が備えている帯状シートの伸ばした状態の正面図であり、（Ａ）は右側の帯状シートを示し、（Ｂ）は左側の帯状シートを示し、（Ｃ）は土台となる帯状シートを示す。
【図６】図１に示す枕置き具の使用状態図である。
【図７】本発明の実施形態に係る枕置き具の正面図である。
【図８】図７に示す枕置き具の上面図である。
【図９】図７に示す枕置き具の要部を拡大した正面図である。
【図１０】図７に示す枕置き具が備えている帯状シートの丸めた状態の正面図であり、（Ａ）は厚さ１０ｍｍの帯状シートを示し、（Ｂ）は厚さ７ｍｍの帯状シートを示し、（Ｃ）は厚さ５ｍｍの帯状シートを示す。
【図１１】図７に示す枕置き具が備えている帯状シートの伸ばした状態の正面図であり、（Ａ）は帯状シートの３枚重ねの例を示し、（Ｂ）は帯状シートの２枚重ねの例を示し、（Ｃ）は帯状シートの１枚だけの例を示す。
【図１２】図７に示す枕置き具の使用状態図である。
【発明を実施するための形態】
【００２２】
以下、図面を参照して、参考形態に係る枕置き具１、及び本発明の実施形態に係る枕置き具２について詳細に説明する。なお、本発明の実施形態の説明において、参考形態と共通する構成、作用及び効果については、適宜その説明を省略する。
【００２３】
［参考形態］まず、図１〜図６を用いて、枕置き具１について説明する。図１は、枕置き具１の正面図である。図２は、図１に示す枕置き具１の上面図である。図３は、図１に示す矢印III−III方向に視た本体１０の断面図である。図４は、図１に示す枕置き具１の要部を拡大した正面図である。図５は、図１に示す枕置き具１が備えている帯状シート１１，２０の伸ばした状態の正面図である。図５（Ａ）は、右側の帯状シート１５を示す。図５（Ｂ）は、左側の帯状シート１５を示す。図５（Ｃ）は、土台となる帯状シート１１を示す。図６は、図１に示す枕置き具１の使用状態図である。なお、各図において、一部の構成を適宜省略して、図面を簡略化する。
【００２４】
図１〜図６に示す枕置き具１は、枕ＰＩＬを載せて使用するものであり、就寝時などに、使用者ＭＡＮが使用する枕ＰＩＬの高さを自由に調整するものである。具体的に、枕置き具１は、本体１０と、複数枚の帯状シート（第２の帯状シート）１５と、を備えている。
【００２５】
本体１０は、１枚の帯状シート（第１の帯状シート）１１と、左右一対の収納部１２と、を備えている。
【００２６】
帯状シート１１は、寝具に適した柔らかい材料から構成された矩形状のシートである。例えば、帯状シート１１は、縦３８０ｍｍ×横８５０ｍｍ×厚さ１０ｍｍの寸法を有するスポンジシートである。この帯状シート１１は、左右に伸びるように設けられ、土台となる。また、帯状シート１１の上面における左右の両脇には、収納部１２を着脱可能に取り付けるための面テープ（図示省略）が設けられ、収納部１２が取り付けられている。
【００２７】
左右一対の収納部１２は、寝具に適した柔らかい材料（例えば、ゴム）から構成された筒体であり、断面が略Ｃ形状となるようにスリット１２ａを有している。左右一対の収納部１２は、帯状シート１１の上面における左右の両脇に沿って設けられ、互いに対向する位置にスリット１２ａを配置させている。これら左右一対の収納部１２の下面には、帯状シート１１に対して着脱可能に取り付けるための面テープ（図示省略）が設けられ、帯状シート１１が取り付けられている。また、左右一対の収納部１２は、スリット１２ａから帯状シート１１の上に引出し可能に、複数枚の帯状シート１５をまとめて丸めた状態で収納している。
【００２８】
複数枚の帯状シート１５は、寝具に適した柔らかい材料から構成された矩形状のシートである。例えば、複数枚の帯状シート１５は、縦３５０ｍｍ×横８３０ｍｍで任意の厚さの寸法を有するスポンジシートであり、厚さが２種類以上である。具体的に、右側の収納部１２に収納されている複数枚の帯状シート１５は、厚さが、５ｍｍのものと、５ｍｍのものと、７ｍｍのものである（図５（Ａ）参照）。左側の収納部１２に収納されている複数枚の帯状シート１５は、厚さが、５ｍｍのものと、１０ｍｍのものである。ちなみに、土台となる帯状シート１１は、厚さが１０ｍｍのものである（図５（Ｃ）参照）。
【００２９】
以上説明したように、枕置き具１は、枕ＰＩＬを載せて使用するものであって、左右に伸びるように設けられ、土台となる帯状シート１１と、帯状シート１１の上面における左右の両脇に設けられ、帯状シート１１の上に引出し可能に帯状シート１５を収納しておく収納部１２と、を有している本体１０と、帯状シート１１の上に重ねられ、枕ＰＩＬの高さを調整する複数枚の帯状シート１５と、を備え、帯状シート１１、又は帯状シート１１の上に重ねられた帯状シート１５に枕ＰＩＬを載せて使用する。
【００３０】
このような枕置き具１によれば、今お使いの枕ＰＩＬの下に帯状シート１１，２０を敷くだけで枕ＰＩＬの高さを調整することができる。帯状シート１１，２０をクッション性のあるスポンジと布で作ることで、人にやさしい材料を使用しているといえる。また、布団やベッドの上に置いて使用することができる。さらに、収納部１２が左右の両脇に設けられているので、枕ＰＩＬの位置が移動してしまうことを防止できる。
【００３１】
また、枕置き具１において、複数枚の帯状シート１５の厚さは、２種類以上である。
【００３２】
このような枕置き具１によれば、今お使いの枕ＰＩＬの下に厚さの異なる帯状シート１５を何枚か重ね敷くだけで枕ＰＩＬの高さを微調整することができる。
【００３３】
また、枕置き具１において、収納部１２は、帯状シート１１に対して着脱可能である。
【００３４】
このような枕置き具１によれば、状況に応じて帯状シート１１から収納部１２を外して使用することができる。
【００３５】
［実施形態］次に、図７〜図１２を用いて、枕置き具２について説明する。図７は、枕置き具２の正面図である。図８は、図７に示す枕置き具２の上面図である。図９は、図７に示す枕置き具２の要部を拡大した正面図である。図１０は、図７に示す枕置き具２が備えている帯状シート２５ａ，２５ｂの丸めた状態の正面図である。図１０（Ａ）は、厚さ１０ｍｍの帯状シート２５ａを示す。図１０（Ｂ）は、厚さ７ｍｍの帯状シート２５ｂを示す。図１０（Ｃ）は、厚さ５ｍｍの帯状シート２５ｂを示す。図１１は、図７に示す枕置き具２が備えている帯状シート２１，２５ａ，２５ｂの伸ばした状態の正面図である。図１１（Ａ）は、帯状シート２５ｂの３枚重ねの例を示す。図１１（Ｂ）は、帯状シート２５ａ，２５ｂの２枚重ねの例を示す。図１１（Ｃ）は、帯状シート２１の１枚だけの例を示す。図１２は、図７に示す枕置き具２の使用状態図である。
【００３６】
図７〜図１２に示す枕置き具２は、本体２０と、複数のカートリッジ２４と、１枚の帯状シート（第２の帯状シート）２５ａと、を備えている。
【００３７】
本体２０は、１枚の帯状シート（第１の帯状シート）２１と、左右一対の収納部２２と、を備えている。
【００３８】
帯状シート２１は、帯状シート１１と同様、寝具に適した柔らかい材料から構成された矩形状のシートである。例えば、帯状シート２１は、縦３８０ｍｍ×横８５０ｍｍ×厚さ１０ｍｍの寸法を有するスポンジシートである。この帯状シート２１は、左右に伸びるように設けられ、土台となる。また、帯状シート２１の上面における左脇には、カートリッジ２４及び一方の収納部２２を着脱可能に取り付けるための面テープ（図示省略）が設けられ、カートリッジ２４及び一方の収納部２２が平行に取り付けられている。帯状シート２１の上面における右脇には、他方の収納部２２を着脱可能に取り付けるための面テープ（図示省略）が設けられ、他方の収納部２２が取り付けられている。
【００３９】
左右一対の収納部２２は、左右一対の収納部１２と同様、寝具に適した柔らかい材料（例えば、ゴム）から構成された筒体であり、断面が略Ｃ形状となるようにスリット２２ａを有している。左側の収納部２２は、帯状シート２１の上面における左脇から少し離れた位置に当該左脇に沿って設けられている。右側の収納部２２は、帯状シート２１の上面における右脇に沿って設けられている。これら左右一対の収納部２２は、互いに対向する位置にスリット２２ａを配置させている。これら左右一対の収納部２２の下面には、帯状シート２１に対して着脱可能に取り付けるための面テープ（図示省略）が設けられ、帯状シート２１が取り付けられている。左側の収納部２２は、スリット２２ａから帯状シート２１の上に引出し可能に、１枚の帯状シート２５ａを丸めた状態で収納している。右側の収納部２２は、スリット２２ａから帯状シート２１の上に帯状シート２５ｂを引出し可能に、複数のカートリッジ２４をまとめて収納している。
【００４０】
複数のカートリッジ２４は、寝具に適した柔らかい材料から構成された筒状である。具体的に、複数のカートリッジ２４は、それぞれ、１枚の帯状シート（第２帯状シート）２５ｂと、１つのケース２６と、を備えている。
【００４１】
帯状シート２５ａ，２５ｂは、例えば、縦３５０ｍｍ×横８３０ｍｍで任意の厚さの寸法を有するスポンジシートであり、厚さが２種類以上である。具体的に、帯状シート２５ａは、厚さが、１０ｍｍのものである（図１０（Ａ）参照）。左脇に設けられるカートリッジ２４に格納された帯状シート２５ｂは、厚さが、７ｍｍのものである（図１０（Ｂ）参照）。右側の収納部２２に収納された帯状シート２５ｂは、厚さが、５ｍｍのものである（図１０（Ｃ）参照）。ちなみに、土台となる帯状シート２１は、厚さが１０ｍｍのものである（図１１（Ｃ）参照）。
【００４２】
ケース２６は、断面が略Ｃ形状となるようにスリット２６ａを有した筒体である。このケース２６は、スリット２６ａから引出し可能に、１枚の帯状シート２５ｂを丸めた状態で格納している。ケース２６の外面には、スリット２６ａに沿って、帯状シート２１に対して着脱可能に取り付けるための面テープ（図示省略）が設けられ、帯状シート２１が取り付けられている。ケース２６は、スリット２２ａから帯状シート２１の上に帯状シート２５ｂが引出し可能に、収納部２２にまとめて収納されている。
【００４３】
以上説明したように、枕置き具２は、１枚の帯状シート２５ａ，２５ｂを引出し可能に収納しておくケース２６を複数備え、収納部２２は、帯状シート２５ａ，２５ｂを格納している複数のケース２６を収納する。
【００４４】
このような枕置き具２によれば、帯状シート２５ａ，２５ｂを格納しているケース２６がカートリッジ２４として機能するので、帯状シート２５ａ，２５ｂを収納部に収納しておく作業が容易である。また、帯状シート２５ａ，２５ｂが１枚ずつケース２６に格納されているので、収納部２２から帯状シート２５ａ，２５ｂを容易に１枚ずつ引き出すことができる。
【００４５】
また、枕置き具２において、ケース２６は、帯状シート２１に対して着脱可能である。
【００４６】
このような枕置き具２によれば、カートリッジ２４として機能するケース２６を多く準備しておくことができ、そのケース２６を収納部２２の近くに配置しておくことができる。
【００４７】
なお、本発明は、上記実施形態に限定されるものではなく、その趣旨及び技術思想を逸脱しない範囲で種々の変更が可能である。すなわち、各構成の位置、寸法（大きさ、長さ、厚さ）、数量、形状、材質などは適宜変更できる。
【００４８】
すなわち、帯状シート２５ａ，２５ｂやカートリッジ２４の数量は適宜変更できる。帯状シート２１，２５ａ，２５ｂの厚さは適宜変更できる。カートリッジ２４の太さは適宜変更できる。
【００４９】
あるいは、上記実施形態において、収納部２２は、帯状シート２１の上面における左右の両脇に設けられている場合を例に説明したが、本発明はこれに限定されるものではなく、収納部２２は、帯状シート２１の上面における左脇及び右脇の少なくとも一方に設けられていてもよい。
【００５０】
あるいは、上記実施形態において、左側の収納部２２は、スリット２２ａから帯状シート２１の上に引出し可能に、１枚の帯状シート２５ａを丸めた状態で直接収納しているが、本発明はこれに限定されるものではなく、左側の収納部２２は、スリット２２ａから帯状シート２１の上に帯状シート２５ａを引出し可能に、一つのカートリッジ２４を収納していてもよい。
【００５１】
あるいは、上記実施形態において、帯状シート２１の上面における左脇にカートリッジ２４を着脱可能に取り付けるための面テープ（図示省略）が設けられ、１つのカートリッジ２４が取り付けられている場合を例に説明したが、本発明において、取り付けられるカートリッジ２４の数量はこれに限定されず、取り付けられるカートリッジ２４の数量に応じて、帯状シート２１の上面に複数の面テープ（図示省略）が適宜設けられていてもよい。
【符号の説明】
【００５２】
１，２  枕置き具
１０，２０  本体
１１，２１  帯状シート（第１帯状シート）
１２，２２  収納部
１２ａ，２２ａ  スリット
１５，２５ａ，２５ｂ  帯状シート（第２帯状シート）
２４  カートリッジ
２６  ケース
２６ａ  スリット
ＭＡＮ  使用者
ＰＩＬ  枕
【要約】
【課題】布団やベッドの上に置いて使用することができる枕置き具を提供する。
【解決手段】枕置き具１は、枕ＰＩＬを載せて使用するものである。枕置き具１は、左右に伸びるように設けられ、土台となる帯状シート１１と、帯状シート１１の上面における左右の両脇に設けられ、帯状シート１１の上に引出し可能に帯状シート１５を収納しておく一対の収納部１２と、を有している本体１０と、帯状シート１１の上に重ねられ、枕ＰＩＬの高さを調整する複数枚の帯状シート１５と、を備えている。枕置き具１は、帯状シート１１、又は帯状シート１１の上に重ねられた帯状シート１５に枕ＰＩＬを載せて使用する。
【選択図】図１【図１】
0006651229.tif 000002
【図２】
0006651229.tif 000003
【図３】
0006651229.tif 000004
【図４】
0006651229.tif 000005
【図５】
0006651229.tif 000006
【図６】
0006651229.tif 000007
【図７】
0006651229.tif 000008
【図８】
0006651229.tif 000009
【図９】
0006651229.tif 000010
【図１０】
0006651229.tif 000011
【図１１】
0006651229.tif 000012
【図１２】
0006651229.tif 000013